(57)【特許請求の範囲】
【請求項１】
直結式油圧エレベータを非油圧エレベータに改修する直結式油圧エレベータの改修方法であって、
昇降路よりも下方に設けられた地中管からシリンダを取り外すシリンダ取外工程と、
前記シリンダ取外工程の後、ねじ棒の上端部をかごに連結し、前記ねじ棒の下端部を前記地中管に挿入するねじ棒取付工程と、
前記シリンダ取外工程の後、前記ねじ棒を上下方向に案内する案内装置を前記地中管に設置する案内装置設置工程と、
前記ねじ棒を前記地中管に対して上下方向に移動させる駆動装置を前記昇降路に設置する駆動装置設置工程と
を備えたことを特徴とする直結式油圧エレベータの改修方法。
【請求項２】
前記ねじ棒取付工程では、前記ねじ棒を構成する複数のねじ棒片が分割された状態で前記昇降路に搬入し、分割された前記ねじ棒片を長手方向に連結しながら、前記ねじ棒片を前記地中管に挿入することを特徴とする請求項１に記載の直結式油圧エレベータの改修方法。
【請求項３】
前記駆動装置は、前記ねじ棒に設けられ、回転することによって前記ねじ棒を上下方向に移動させる雌ねじスプロケットと、前記雌ねじスプロケットを上方から覆い、前記雌ねじスプロケットが上方に移動することを規制する覆い部とを有している請求項１または請求項２に記載の直結式油圧エレベータの改修方法。
【請求項４】
昇降路よりも下方に設けられ上下方向に延びた地中管に下端部が挿入され、上端部にかごが連結され、前記地中管に対して上下方向に移動可能なねじ棒と、
前記ねじ棒を前記地中管に対して上下方向に移動させる駆動装置と、
前記地中管に設けられ、前記ねじ棒を上下方向に案内する案内装置と
を備えたことを特徴とする非油圧エレベータ。
【請求項５】
前記駆動装置は、前記ねじ棒に設けられ、回転することによって前記ねじ棒を上下方向に移動させる雌ねじスプロケットと、前記雌ねじスプロケットを上方から覆い、前記雌ねじスプロケットが上方へ移動することを規制する覆い部とを有している請求項４に記載の非油圧エレベータ。
【発明の詳細な説明】
【技術分野】
【０００１】
この発明は、直結式油圧エレベータを非油圧エレベータに改修する直結式油圧エレベータの改修方法および直結式油圧エレベータから改修される非油圧エレベータに関する。
【背景技術】
【０００２】
従来、直結式油圧エレベータをロープ式エレベータに改修する直結式油圧エレベータの改修方法であって、昇降路よりも下方に設けられた地中管からシリンダを取り除くシリンダ取外工程と、シリンダ取外工程の後、地中管につり合い重りを挿入するつり合い重り配置工程と、ロープの一端部をかごの上部に接続し、ロープの中間部をかごの側方を通して、ロープの下端部をつり合い重りに接続するロープ接続工程とを備えた直結式油圧エレベータの改修方法が知られている（例えば、特許文献１参照）。
【先行技術文献】
【特許文献】
【０００３】
【特許文献１】特開２０１０−１０５８０５号公報
【発明の概要】
【発明が解決しようとする課題】
【０００４】
しかしながら、ロープがかごの側方を通るので、かごと昇降路との間の隙間の寸法を大きくしなければならず、かごのサイズを小さくしなければならないという問題点があった。
【０００５】
この発明は、かごのサイズを小さくすることなく直結式油圧エレベータを非油圧エレベータに改修することができる直結式油圧エレベータの改修方法および非油圧エレベータを提供するものである。
【課題を解決するための手段】
【０００６】
この発明に係る直結式油圧エレベータの改修方法は、直結式油圧エレベータを非油圧エレベータに改修する直結式油圧エレベータの改修方法であって、昇降路よりも下方に設けられた地中管からシリンダを取り外すシリンダ取外工程と、シリンダ取外工程の後、ねじ棒の上端部をかごに連結し、ねじ棒の下端部を地中管に挿入するねじ棒取付工程と、シリンダ取外工程の後、ねじ棒を上下方向に案内する案内装置を地中管に設置する案内装置設置工程と、ねじ棒を地中管に対して上下方向に移動させる駆動装置を昇降路に設置する駆動装置設置工程とを備えている。
【発明の効果】
【０００７】
この発明に係る直結式油圧エレベータの改修方法によれば、上端部がかごに連結され下端部が地中管に挿入されたねじ棒を地中管に対して上下方向に移動させることによってかごを昇降させることができるので、かごのサイズを小さくすることなく直結式油圧エレベータを非油圧エレベータに改修することができる。
【図面の簡単な説明】
【０００８】
【図１】この発明の実施の形態１に係るねじ式エレベータを示す側面図である。
【図２】図１の地中管およびねじ棒を示す断面図である。
【図３】図１の駆動装置を示す正面図である。
【図４】直結式油圧エレベータを示す側面図である。
【発明を実施するための形態】
【０００９】
実施の形態１．
図１はこの発明の実施の形態１に係るねじ式エレベータを示す側面図である。非油圧エレベータであるねじ式エレベータは、昇降路１００よりも下方に設けられ上下方向に延びた地中管１と、地中管１に下端部が挿入され地中管１に対して上下方向に移動可能なねじ棒２と、ねじ棒２の上端部に連結されたかご３と、昇降路１００のピット１０１に設けられ、ねじ棒２を地中管１に対して上下方向に移動させる駆動装置４と、ピット１０１に設けられた緩衝器５とを備えている。
【００１０】
地中管１は、昇降路１００に対して固定されている。地中管１は、有底円筒形状に形成されている。地中管１の底面には、径方向外側から径方向内側に向かうにつれて下方に向かう凹部１１が形成されている。
【００１１】
ねじ棒２は、円柱形状に形成されている。ねじ棒２の外周面には、ねじ溝が形成されている。ねじ棒２の上端部は、かご３に接続されている。ねじ棒２は、複数のねじ棒片に分割可能となっている。ねじ棒２が昇降路１００に搬入される場合には、ねじ棒２は、複数のねじ棒片に分割される。
【００１２】
かご３は、昇降路１００に立てられた一対のかごガイドレール（図示せず）に案内されて昇降する。かご３は、かごガイドレールに案内されて昇降路１００を昇降する。
【００１３】
図２は図１の地中管１およびねじ棒２を示す断面図である。ねじ式エレベータは、地中管１に設けられねじ棒２を上下方向に案内する複数の案内装置６をさらに備えている。それぞれの案内装置６は、Ｏ形状に形成されている。案内装置６は、地中管１の内周面に固定される。案内装置６は、案内装置６の軸線がねじ棒２の軸線に重なるように、地中管１に配置される。
【００１４】
ねじ棒２は、ねじ棒２の下端部が凹部１１に当たることによって、ねじ棒２の軸線が地中管１の軸線に重なるように配置される。
【００１５】
図１に示すように、駆動装置４は、円板形状に形成された雌ねじスプロケット４１と、雌ねじスプロケット４１を回転させるための動力を発生させる薄型巻上機４２と、雌ねじスプロケット４１と薄型巻上機４２とに渡って設けられ、薄型巻上機４２の動力を雌ねじスプロケット４１に伝達するチェーン４３と、薄型巻上機４２を支持する機械台４４とを有している。雌ねじスプロケット４１、薄型巻上機４２およびチェーン４３は、安全カバー（図示せず）によって上方から覆われている。薄型巻上機４２の駆動を制御する制御盤は、昇降路１００または機械室（図示せず）に設置されている。
【００１６】
雌ねじスプロケット４１の中心部には、ねじ棒２が挿入される貫通孔が形成されている。ねじ棒２の貫通孔の内周面には、ねじ棒２のねじ溝と係合する雌ねじが形成されている。したがって、雌ねじスプロケット４１が回転することによって、ねじ棒２が雌ねじスプロケット４１に対して上下方向に移動する。ねじ棒２が雌ねじスプロケット４１に対して上下方向に移動することによって、ねじ棒２は、地中管１に対して上下方向に移動する。雌ねじスプロケット４１が回転する場合に、ねじ棒２はかご３に対して固定されているので、ねじ棒２は回転しない。
【００１７】
薄型巻上機４２は、チェーン４３と係合するスプロケットを有している。チェーン４３は、雌ねじスプロケット４１の外周面と薄型巻上機４２のスプロケットの外周面に渡って掛けられている。したがって、薄型巻上機４２が駆動することによって、薄型巻上機４２のスプロケットが回転して、雌ねじスプロケット４１が回転する。
【００１８】
図３は図１の駆動装置４を示す正面図である。駆動装置４は、薄型巻上機４２を支持する支持部４５と、雌ねじスプロケット４１を上方から覆う覆い部４６とをさらに有している。支持部４５は、雌ねじスプロケット４１が回転可能となるように雌ねじスプロケット４１を支持する。雌ねじスプロケット４１は、覆い部４６によって、上方への移動が規制される。
【００１９】
図４は直結式油圧エレベータを示す側面図である。直結式油圧エレベータは、昇降路１００よりも下方に設けられ上下方向に延びた地中管１と、地中管１に挿入されたシリンダ（図示せず）と、シリンダに下端部が挿入され、上下方向に移動可能なピストン７と、ピストン７の上端部に連結されたかご３とを備えている。油タンク（図示せず）からシリンダに油が送られることによって、ピストン７がシリンダに対して上昇し、シリンダから油タンクに油が送られることによって、ピストン７がシリンダに対して下降する。シリンダがピストン７に対して昇降することに連動して、かご３が昇降路１００を昇降する。
【００２０】
次に、直結式油圧エレベータをねじ式エレベータに改修する方法（直結式油圧エレベータの改修方法）について説明する。この例では、既設のかご３および既設のかごガイドレールを流用する場合について説明する。まず、地中管１からシリンダを取り外す（シリンダ取外工程）。シリンダ取外工程では、シリンダに挿入されているピストン７も取り外す。
【００２１】
シリンダ取外工程の後、ねじ棒２の上端部をかご３に連結し、ねじ棒２の下端部を地中管１に挿入する（ねじ棒取付工程）。ねじ棒取付工程では、ねじ棒２を構成する複数のねじ棒片が分割された状態で昇降路１００に搬入し、分割されたねじ棒片を長手方向に連結しながら、ねじ棒片を地中管１に挿入する。
【００２２】
シリンダ取外工程の後、案内装置６を地中管１に設置する（案内装置設置工程）。その後、駆動装置４を昇降路１００に設置する（駆動装置設置工程）。以上により、直結式油圧エレベータの改修方法が終了する。
【００２３】
以上説明したように、この発明の実施の形態１に係る直結式油圧エレベータの改修方法によれば、昇降路１００よりも下方に設けられた地中管１からシリンダを取り外すシリンダ取外工程と、シリンダ取外工程の後、ねじ棒２の上端部をかご３に連結し、ねじ棒２の下端部を地中管１に挿入するねじ棒取付工程と、ねじ棒２を地中管１に対して上下方向に移動させる駆動装置４を昇降路１００に設置する駆動装置設置工程とを備えているので、上端部がかご３に連結され下端部が地中管１に挿入されたねじ棒２を昇降させることによってかご３を昇降させることができる。これにより、かご３のサイズを小さくすることなく直結式油圧エレベータを非油圧エレベータに改修することができる。
【００２４】
また、この直結式油圧エレベータの改修方法は、シリンダ取外工程の後、ねじ棒２を上下方向に案内する案内装置６を地中管１に設置する案内装置設置工程を備えているので、ねじ棒２が上下方向に移動する場合に、ねじ棒２の軸ブレの発生を抑制することができる。
【００２５】
また、ねじ棒取付工程では、ねじ棒２を構成する複数のねじ棒片が分割された状態で昇降路に搬入し、分割されたねじ棒片を長手方向に連結しながら、ねじ棒片を地中管１に挿入するので、ねじ棒２を容易に昇降路１００に搬入することができる。その結果、直結式油圧エレベータの改修において作業効率を向上させることができる。
【００２６】
また、この発明の実施の形態１に係る非油圧エレベータによれば、昇降路１００よりも下方に設けられ上下方向に延びた地中管１に下端部が挿入され、上端部にかご３が連結され、地中管１に対して上下方向に移動可能なねじ棒２と、ねじ棒２を地中管１に対して上下方向に移動させる駆動装置４とを備えているので、かご３のサイズを小さくすることなく、直結式油圧エレベータを非油圧エレベータに改修することができる。
【００２７】
なお、上記実施の形態１では、駆動装置４をピット１０１に配置する直結式油圧エレベータの改修方法について説明したが、駆動装置４をかご３に配置してもよい。
【００２８】
また、上記実施の形態１では、薄型巻上機４２を有する駆動装置４の構成について説明したが、薄型ではない巻上機を有する駆動装置４であってもよい。
【００２９】
また、上記実施の形態１では、チェーン４３を有する駆動装置４の構成について説明したが、薄型巻上機４２の動力を雌ねじスプロケット４１に伝達するベルトであってもよい。
【００３０】
また、上記実施の形態１では、既設のかご３および既設のかごガイドレールを流用する直結式油圧エレベータの改修方法について説明したが、既設のかご３および既設のかごガイドレールを昇降路１００から搬出し、新規のかご３および新規のかごガイドレールを昇降路１００に搬入してもよい。
【符号の説明】
【００３１】
１  地中管、２  ねじ棒、３  かご、４  駆動装置、５  緩衝器、６  案内装置、７  ピストン、１１  凹部、４１  雌ねじスプロケット、４２  薄型巻上機、４３  チェーン、４４  機械台、４５  支持部、４６  覆い部、１００  昇降路、１０１  ピット。
【図１】
0006452544.tif 000002
【図２】
0006452544.tif 000003
【図３】
0006452544.tif 000004
【図４】
0006452544.tif 000005